(57)【要約】【課題】側壁に中側板を有する段ボール製トレイを、組み立てやすく、使用状態で形状が崩れにくいものとする。【解決手段】底壁１の周囲に、コーナー部を挟んで隣り合う側壁２及び端壁３を連設し、側壁２を、底壁１に順次繋がる外側板４、頂板５、内側板６及び中側板７の巻き込みにより形成し、外側板４と内側板６との間に、中側板７及び端壁３から延びる折込片８を挟み込み、側壁２の巻き込みに対する反発を、側壁２に設けた係止突起９と底壁１に設けた係止穴１０との係合によるロック機構で抑制する段ボール製トレイにおいて、前記ロック機構の係止突起９を、中側板７の内側板６と繋がる基部側に、内側板６を切り込むことにより形成し、内側板６からの中側板７の折り曲げに伴い突出するようにする。【選択図】図１
2015009890.tif 000002
【特許請求の範囲】
【請求項１】
底壁(1)の周囲に、コーナー部を挟んで隣り合う側壁(2)及び端壁(3)を連設し、側壁(2)を、底壁(1)に順次繋がる外側板(4)、頂板(5)、内側板(6)及び中側板(7)の巻き込みにより形成し、外側板(4)と内側板(6)との間に、中側板(7)及び端壁(3)から延びる折込片(8)を挟み込み、側壁(2)の巻き込みに対する反発を、側壁(2)に設けた係止突起(9)と底壁(1)に設けた係止穴(10)との係合によるロック機構で抑制する段ボール製トレイにおいて、前記ロック機構の係止突起(9)を、中側板(7)の内側板(6)と繋がる基部側に、内側板(6)を切り込むことにより形成し、内側板(6)からの中側板(7)の折り曲げに伴い突出するようにしたことを特徴とする段ボール製トレイ。
【請求項２】
請求項１に記載の段ボール製トレイにおいて、中側板(7)を、内側板(6)の幅方向中間部のみに延設し、外側板(4)と内側板(6)との間に挟まれた状態で、中側板(7)と折込片(8)とが重ならないようにしたことを特徴とする段ボール製トレイ。
【請求項３】
請求項１又は２に記載の段ボール製トレイにおいて、段ボールの段目を、対向する端壁(3)間に亘り側壁(2)に沿って延びる方向へ向けたことを特徴とする段ボール製トレイ。
【発明の詳細な説明】
【技術分野】
【０００１】
この発明は、重量物の梱包に適した段ボール製トレイに関するものである。
【背景技術】
【０００２】
工場で製造された冷蔵庫は、流通過程において、梱包用基台として使用する段ボール製トレイにより底部から支持した状態で配送される。この際、底壁の周囲にコーナー部を挟んで隣り合う側壁及び端壁を立設した一般的な段ボール製トレイでは、重量のある冷蔵庫に対して強度が不足し、運搬時に撓んで形状が崩れるおそれがあるため、トレイの対向する端壁間に木材の梁を渡して補強することが行われている。
【０００３】
また、このような木材による補強を省略するため、対向する側壁を段ボールが３枚ずつ重なる三重構造とした段ボール製トレイであって、図７に示すようなブランクから組み立てられるものが使用されることもある。
【０００４】
このブランクでは、長方形の底壁５１の一対の短辺に側壁５２が、一対の長辺に端壁５３がそれぞれ連設され、側壁５２は、底壁５１に順次繋がる外側板５４、頂板５５、内側板５６及び中側板５７の部分から構成されている。側壁５２において、中側板５７は、内側板５６よりも幅が小さく、内側板５６の幅方向中間部のみに延設されている。端壁５３の両側端には、折込片５８が連設されている。
【０００５】
内側板５６の先端部には、中側板５７の基部の両側方に係止突起５９が設けられ、底壁５１には、外側板５４との境界をなす罫線に沿って、係止突起５９に対応する位置に係止穴６０が設けられている。この係止突起５９と係止穴６０とにより、トレイを組立状態に維持するロック機構が構成される。
【０００６】
また、内側板５６の先端両側部には、発泡スチロール製緩衝材の両端の突起が嵌められる係止切込６１が設けられ、底壁５１には、一方の端壁５３寄りにコ字状の切目線を入れて手掛穴６２が設けられている。
【０００７】
このブランクにおいて、段ボールの中しんの段頂が延びる段目の方向は、対向する端壁５３間に亘り側壁５２に沿って延びる方向へ向けられている。段ボールは、その特性上、段目が延びる縦目方向の強度は大きく、これに交差する横目方向の強度は小さい。
【０００８】
上記ブランクを図８に示すトレイに組み立てるには、底壁５１から一対の端壁５３を起立させ、折込片５８を内側へ折り曲げ、外側板５４、頂板５５、内側板５６及び中側板５７を巻き込み、外側板５４と内側板５６との間に、中側板５７と折込片５８とを重ならない状態で挟み込んで、三重構造の側壁５２を形成し、係止突起５９を係止穴６０に係合させ、側壁５２の巻き込みに対する反発が抑制されたロック状態とする。
【０００９】
そして、冷蔵庫の梱包に際しては、一対の端壁５３の内側に発泡スチロール製の緩衝材Ｓを沿わせ、緩衝材Ｓの両端の突起を係止切込６１に嵌め込んで、緩衝材Ｓをこのトレイに固定し、緩衝材Ｓにより冷蔵庫の底部を支持する。
【００１０】
このような段ボール製トレイでは、段ボールの強度に優れた段目方向が側壁５２の幅方向へ延びており、また、側壁５２が三重構造となっていることから、重量物である冷蔵庫の荷重が作用した状態で持ち上げても、側壁５２の撓みに伴う変形が抑制され、側壁５２が延びる方向への木材による補強等が不要となる。
【００１１】
なお、端壁が三重構造となる紙製トレイとしては、下記特許文献１に記載されたようなものも知られているが、このトレイは、ボール紙から成る包装用の紙箱であって、重量物運搬のための梱包用基台として使用されるようなものではなく、係止突起と係止穴との係合によるロック機構を備えたものではない。
【先行技術文献】
【特許文献】
【００１２】
【特許文献１】実公昭３１−１６０８１号公報
【発明の概要】
【発明が解決しようとする課題】
【００１３】
しかしながら、上述の図８に示す段ボール製トレイでは、図９に示すように、内側板５６の延長部分である係止突起５９が中側板５７及び折込片５８の厚さ分だけ外側板５４から離れており、組み立てに際し、鎖線で示すように、側壁５２の巻き込みに対する強い反発力に抗して内側板５６を撓ませつつ、係止突起５９を係止穴６０に押し込まなければならいことから、作業者の負担が大きく、効率的に組み立てられないという問題がある。
【００１４】
また、係止突起５９の部分で段目が座屈しやすい横目となっているため、図１０に示すように、使用状態において、係止突起５９が側壁５２の巻き込みに対する反発力に抗しきれず、係止突起５９が折れ曲がり、係止穴６０から抜け出してロックが外れ、保形性が損なわれやすいという問題がある。
【００１５】
そこで、この発明は、側壁に中側板を有する段ボール製トレイを、組み立てやすく、使用状態で形状が崩れにくいものとすることを課題とする。
【課題を解決するための手段】
【００１６】
上記のような課題を解決するため、この発明は、底壁の周囲に、コーナー部を挟んで隣り合う側壁及び端壁を連設し、側壁を、底壁に順次繋がる外側板、頂板、内側板及び中側板の巻き込みにより形成し、外側板と内側板との間に、中側板及び端壁から延びる折込片を挟み込み、側壁の巻き込みに対する反発を、側壁に設けた係止突起と底壁に設けた係止穴との係合によるロック機構で抑制する段ボール製トレイにおいて、前記ロック機構の係止突起を、中側板の内側板と繋がる基部側に、内側板を切り込むことにより形成し、内側板からの中側板の折り曲げに伴い突出するようにしたのである。
【００１７】
この段ボール製トレイでは、側壁の内部に段ボールの厚さ分の隙間が生じないようにするため、中側板を、内側板の幅方向中間部のみに延設し、外側板と内側板との間に挟まれた状態で、中側板と折込片とが重ならないようにするとよい。
【００１８】
また、重量物の梱包に使用するものでは、段ボールの段目を、対向する端壁間に亘り側壁に沿って延びる方向へ向けることにより、側壁の撓みを防止するとよい。
【発明の効果】
【００１９】
この段ボール製トレイでは、組み立てる際、側壁の外側板、頂板、内側板及び中側板を巻き込むように折り曲げるだけで、係止突起が突出して外側板の内面に沿い、組立作業者が係止突起を係止穴に大きな力で押し込まなくても、係止突起が係止穴に入り込み、側壁の巻き込みに対する反発が抑制されたロック状態となるので、作業負担が軽減され、組み立ての作業能率が向上する。
【００２０】
また、組立状態において、係止突起が外側板の内面に沿っていることから、側壁の巻き込みに対する反発で係止突起が折れ曲がる現象が防止され、係止突起が係止穴から抜けにくくなり、ロックが外れにくくなるので、保形性が向上し、重量物である冷蔵庫等を安定的に支持して運搬することができる。
【図面の簡単な説明】
【００２１】
【図１】この発明に係る段ボール製トレイの使用状態を示す斜視図
【図２】同上のブランクを示す図
【図３】同上の組立過程を示す斜視図
【図４】同上の組立状態を示す斜視図
【図５】同上のロック機構の拡大斜視図
【図６】図４のVI−VI線に沿った側壁の縦断側面図
【図７】従来の段ボール製トレイのブランクを示す図
【図８】同上の組立状態を示す斜視図
【図９】図８のIX−IX線に沿った側壁の縦断側面図
【図１０】同上のロックが外れる様子を示す縦断側面図
【発明を実施するための形態】
【００２２】
以下、この発明の実施形態を添付図面に基づいて説明する。
【００２３】
この段ボール製トレイもまた、図１に示すように、冷蔵庫Ｒの運搬に梱包用基台として使用するものであり、図２に示すようなブランクから組み立てられる。
【００２４】
このブランクでは、長方形の底壁１の一対の短辺に側壁２が、一対の長辺に端壁３がそれぞれ連設され、側壁２は、底壁１に順次繋がる外側板４、頂板５、内側板６及び中側板７の部分から構成されている。中側板７は、内側板６よりも幅が小さく設定され、内側板６の幅方向中間部のみに延設されているが、図７に示す中側板５７よりは幅が大きくなっている。端壁３の両側端には、折込片８が連設されている。
【００２５】
中側板７の内側板６と繋がる基部罫線の両側方には、内側板６をコ字状に切り込むことにより係止突起９が設けられ、底壁１には、外側板４との境界をなす罫線に沿って、係止突起９に対応する位置に係止穴１０が設けられている。この係止突起９と係止穴１０とにより、トレイを組立状態に維持するロック機構が構成される。
【００２６】
また、内側板６の先端両側部には、発泡スチロール製の緩衝材Ｓの両端の突起が嵌められる係止切込１１が設けられ、底壁１には、一方の端壁３寄りにコ字状の切目線を入れて手掛穴１２が設けられている。
【００２７】
このブランクにおいて、段ボールの中しんの段頂が延びる段目の方向は、対向する端壁３間に亘り側壁２に沿って延びる方向へ向けられている。
【００２８】
上記ブランクをトレイに組み立てるには、図３に示すように、底壁１から一対の端壁３を起立させ、折込片８を内側へ折り曲げ、外側板４、頂板５、内側板６及び中側板７を巻き込み、図４乃至図６に示すように、外側板４と内側板６との間に、中側板７と折込片８とを重ならない状態で挟み込んで、三重構造の側壁２を形成し、係止突起９を係止穴１０に係合させ、側壁２の巻き込みに対する反発が抑制されたロック状態とする。
【００２９】
そして、図１に示すように、冷蔵庫Ｒの梱包に際しては、一対の端壁３の内側に発泡スチロール製の緩衝材Ｓを沿わせ、緩衝材Ｓの両端の突起を係止切込１１に嵌め込んで、緩衝材Ｓをトレイに固定し、緩衝材Ｓにより冷蔵庫Ｒの底部を支持する。冷蔵庫Ｒとトレイとは、バンド掛け等により一体化する。
【００３０】
このような段ボール製トレイでも、図８に示すものと同様、段ボールの段目が側壁２の幅方向へ延びると共に、側壁２が三重構造となっていることから、冷蔵庫Ｒの荷重が作用した状態で持ち上げても、側壁２の撓みが生じにくく、側壁２が延びる方向への木材による補強等が不要となる。
【００３１】
また、この段ボール製トレイでは、組み立てる際、側壁２の外側板４、頂板５、内側板６及び中側板７を巻き込むように折り曲げるだけで、係止突起９が突出して外側板４の内面に沿い、組立作業者が係止突起９を係止穴１０に大きな力で押し込まなくても、係止突起９が係止穴１０に入り込み、側壁２の巻き込みに対する反発が抑制されたロック状態となるので、作業負担が軽減され、組み立ての作業能率が向上する。
【００３２】
また、組立状態において、係止突起９が外側板４の内面に沿っていることから、側壁２の巻き込みに対する反発で係止突起９が折れ曲がる現象が防止され、係止突起９が係止穴１０から抜けにくくなり、ロックが外れにくくなるので、保形性が向上し、重量物である冷蔵庫Ｒを安定的に支持して運搬することができる。
【００３３】
そのほか、上記のように保形性が向上することから、材料の段ボールとして、強度がやや低く安価なものを使用して、製造コストを抑制することもできる。
【００３４】
なお、上記実施形態では、側壁２において、中側板７と折込片８とが重ならないものを例示したが、さらに耐荷重強度を要する場合には、中側板７の幅を、外側板４、頂板５及び内側板６の幅と略同一に揃え、対向する端壁３から延びる折込片８を、先端同士が突き合わされる程度まで延長し、側壁２の全幅に亘って中側板７と折込片８とが重なり合い、側壁２が四重構造となるようにしてもよい。
【００３５】
また、段ボールの段目を、対向する端壁３間に亘り側壁２に沿って延びる方向へ向けたものを例示したが、端壁３の曲げ強度を向上させる必要がある場合等においては、段ボールの段目を、上記実施形態のものとは直交する方向、すなわち、対向する側壁２間に亘り端壁３に沿って延びる方向へ向けてもよい。
【符号の説明】
【００３６】
１  底壁
２  側壁
３  端壁
４  外側板
５  頂板
６  内側板
７  中側板
８  折込片
９  係止突起
１０  係止穴
１１  係止切込
１２  手掛穴
Ｒ  冷蔵庫
Ｓ  緩衝材
【図１】
2015009890.tif 000003
【図２】
2015009890.tif 000004
【図３】
2015009890.tif 000005
【図４】
2015009890.tif 000006
【図５】
2015009890.tif 000007
【図６】
2015009890.tif 000008
【図７】
2015009890.tif 000009
【図８】
2015009890.tif 000010
【図９】
2015009890.tif 000011
【図１０】
2015009890.tif 000012